(57)【特許請求の範囲】
【請求項１】
ユーザ機器が接続され、当該ユーザ機器からの入力信号が正常な状態の場合、ユーザ機器から入力された情報を第１の通信速度で出力し、前記入力信号が断状態となった場合、故障管理情報を前記第１の通信速度より速い第２の通信速度で生成して出力する接続装置から入力された、所定期間内における情報の通信速度が前記第１の通信速度より速い所定の速度以上であるか否かを判定することにより、前記入力信号が断状態となったか否かを判定する判定部と、
前記判定部により前記入力信号が断状態となったと判定された場合、当該入力信号が断状態となったことを示す情報を出力する出力部と、
を備えた回線終端装置。
【請求項２】
前記ユーザ機器から入力される情報には故障管理情報が含まれ、
前記判定部は、前記接続装置から前記所定期間内に所定数以上の故障管理情報が入力された否かを判定することにより、前記入力信号が断状態となったか否かを判定する
請求項１記載の回線終端装置。
【請求項３】
前記判定部により前記入力信号が断状態となったと判定された場合、前記入力信号が断状態となった前記ユーザ機器の接続箇所を特定する特定情報を含む故障通知情報を生成する第１生成部をさらに備え、
前記出力部は、前記第１生成部により生成された前記故障通知情報に基づいて、前記接続箇所を示す情報をさらに出力する
請求項１または請求項２記載の回線終端装置。
【請求項４】
前記第１生成部により前記故障通知情報が生成された場合、前記故障通知情報に含まれる前記特定情報に基づいて、前記接続箇所への前記入力信号が断状態となったことにより通信に影響がある宛先に対する故障管理情報を生成する第２生成部をさらに備え、
前記出力部は、前記入力信号が断状態となったことを示す情報として、前記第２生成部により生成された故障管理情報を出力する
請求項３記載の回線終端装置。
【請求項５】
前記ユーザ機器と前記接続装置との通信方式は非同期転送モードであり、
前記故障管理情報はＶＰ−ＡＩＳセルである
請求項１から請求項３の何れか１項記載の回線終端装置。
【請求項６】
前記ユーザ機器と前記接続装置との通信方式は非同期転送モードであり、
前記接続装置が出力する故障管理情報はＶＰ−ＡＩＳセルであり、
前記第２生成部が生成する故障管理情報はＶＰ−ＡＩＳセルおよびＶＣ−ＡＩＳセルである
請求項４記載の回線終端装置。
【発明の詳細な説明】
【技術分野】
【０００１】
本発明は、回線終端装置に関する。
【背景技術】
【０００２】
ＩＴＵ−Ｔ（International Telecommunication Union Telecommunication standardization Sector）勧告Ｉ．３６１に準拠したＡＴＭ（Asynchronous Transfer Mode：非同期転送モード）を用いて通信が行われるＡＴＭネットワークにおいて、事業者側の通信機器と加入者（ユーザ）側の通信機器（以下、「ユーザ機器」という。）とを接続するために、ＯＮＵ（Optical Network Unit）やＤＳＵ（Digital Service Unit）等の回線終端装置が用いられている。
【０００３】
この種の回線終端装置が用いられるＡＴＭネットワークでは、保守および運用管理に関する情報を伝送するために、ＩＴＵ−Ｔ勧告Ｉ．６１０に準拠したＯＡＭ（Operation Administration and Maintenance）セルが用いられる。
【０００４】
ＡＴＭネットワークにおいてＯＡＭセルを用いた技術として、特許文献１には、ＩＴＵ−Ｔ勧告Ｉ．６１０に準拠したセグメントＶＰ−ＡＩＳ（Virtual Path-Alarm Indication Signal）セルを用い、ＡＴＭネットワークのＶＰセグメント内の故障の管理を行うＡＴＭ警報処理方式が開示されている。この技術では、ネットワーク管理装置が、ネットワーク内の伝送装置に対して、ＶＰＩ（Virtual Path Identifier）に対象となるＶＰＩ値を含み、情報領域にセグメントＶＰ−ＡＩＳセルの転送を行うか否かの設定情報が格納された特定セルをＶＰセグメントを構成する伝送装置に投入する。また、この技術では、ＶＰセグメントを構成する各伝送装置が、前記特定セルを検出すると情報領域の前記設定情報を保存して、当該特定セルをセグメントの終端へ達するまで後段の伝送装置へ順次転送する。
【先行技術文献】
【特許文献】
【０００５】
【特許文献１】特開平１１−３４６２２５号公報
【発明の概要】
【発明が解決しようとする課題】
【０００６】
ところで、前述した回線終端装置には、一般に、ユーザ機器が接続されるネットワークインタフェースカード（以下、「ＡＴＭ終端カード」という。）が着脱可能に設けられている。そして、ＡＴＭ終端カードは、ユーザ機器からの入力信号が受信されない状態である断状態となった場合に、ＶＰ−ＡＩＳセルを生成する機能を有している。なお、ユーザ機器からの入力信号が断状態となる場合の具体例としては、ユーザ機器とＡＴＭ終端カードとを接続している通信ケーブルの断線やユーザ機器の電源がオフ状態とされた状態等が挙げられる。
【０００７】
しかしながら、ＶＰ−ＡＩＳセルには、送信元を識別する情報が含まれていない。このため、回線終端装置は、ＡＴＭ終端カードから入力されたＶＰ−ＡＩＳセルが、ユーザ機器から伝送されたＶＰ−ＡＩＳセルであるか、或いはＡＴＭ終端カードにより生成されたＶＰ−ＡＩＳセルであるかを判別することができない。従って、回線終端装置は、ユーザ機器からの入力信号が断状態となったことを検出することができない、という問題点があった。なお、この問題点はＡＴＭネットワークに限らず、送信元を識別する情報が含まれない情報が伝送されるネットワークには生じ得る問題点である。
【０００８】
本発明は上記問題点を解決するためになされたものであり、ユーザ機器からの入力信号が断状態となったことを精度良く検出することができる回線終端装置を提供することを目的とする。
【課題を解決するための手段】
【０００９】
上記目的を達成するために、本発明の回線終端装置は、ユーザ機器が接続され、当該ユーザ機器からの入力信号が正常な状態の場合、ユーザ機器から入力された情報を第１の通信速度で出力し、前記入力信号が断状態となった場合、故障管理情報を前記第１の通信速度より速い第２の通信速度で生成して出力する接続装置から入力された、所定期間内における情報の通信速度が前記第１の通信速度より速い所定の速度以上であるか否かを判定することにより、前記入力信号が断状態となったか否かを判定する判定部と、前記判定部により前記入力信号が断状態となったと判定された場合、当該入力信号が断状態となったことを示す情報を出力する出力部と、を備えている。
【発明の効果】
【００１０】
本発明によれば、ユーザ機器からの入力信号が断状態となったことを精度良く検出することができる、という効果が得られる。
【図面の簡単な説明】
【００１１】
【図１】実施の形態に係る通信システムの概略構成図である。
【図２】実施の形態に係る回線終端装置の機能的な構成を示す機能ブロック図である。
【図３】実施の形態に係るフィルタ部の機能的な構成を示す機能ブロック図である。
【図４】実施の形態に係るＡＴＭ終端カードによるセルの出力処理の説明に供するタイミングチャートである。
【図５】実施の形態に係るＯＡＭセルのセルフォーマットの一例を示す模式図である。
【図６】実施の形態に係る判定部の状態遷移の一例を示す状態遷移図である。
【図７】実施の形態に係る故障通知セルのセルフォーマットの一例を示す模式図である。
【図８Ａ】実施の形態に係る正常時におけるＡＴＭポートによる処理の説明に供するタイミングチャートである。
【図８Ｂ】実施の形態に係る入力信号が断状態となった場合におけるＡＴＭポートによる処理の説明に供するタイミングチャートである。
【図９】実施の形態に係る多重部による多重化の処理の説明に供する模式図である。
【図１０】実施の形態に係る接続テーブルの構成の一例を示す模式図である。
【図１１】実施の形態に係る回線終端装置のセル出力処理の流れを示すフローチャートである。
【発明を実施するための形態】
【００１２】
以下、図面を参照して、本発明を実施するための形態を詳細に説明する。なお、ここでは、本発明を、ＡＴＭネットワークにおけるユーザ機器が接続される回線終端装置に適用した場合について説明する。
【００１３】
まず、図１を参照して、本実施の形態に係る通信システム１０の構成を説明する。
【００１４】
図１に示すように、本実施の形態に係る通信システム１０は、複数（本実施の形態では、２つ）の回線終端装置１２Ａ、１２Ｂを備えている。なお、以下では、回線終端装置１２Ａ、１２Ｂを区別して説明する必要がない場合は、符号末尾のアルファベットを省略する。
【００１５】
本実施の形態に係る回線終端装置１２Ａは、回線終端装置１２Ａに対して着脱可能な、本発明の接続装置の一例であるＡＴＭ終端カード１４Ａ〜１４Ｄを備えている。また、本実施の形態に係る回線終端装置１２Ｂも、回線終端装置１２Ｂに対して着脱可能な、ＡＴＭ終端カード１４Ｅ〜１４Ｈを備えている。また、回線終端装置１２ＡのＡＴＭ終端カード１４Ａ〜１４Ｄには、ユーザ機器１６Ａ〜１６Ｄが各々１対１で接続され、回線終端装置１２ＢのＡＴＭ終端カード１４Ｅ〜１４Ｈには、ユーザ機器１６Ｅ〜１６Ｈが各々１対１で接続されている。なお、以下では、ＡＴＭ終端カード１４Ａ〜１４Ｈを区別して説明する必要がない場合は、符号末尾のアルファベットを省略する。また、以下では、ユーザ機器１６Ａ〜１６Ｈを区別して説明する必要がない場合は、符号末尾のアルファベットを省略する。
【００１６】
なお、ユーザ機器１６の具体例としては、ＡＴＭによる通信が可能な、サーバー・コンピュータ等の端末およびルータ等のネットワーク機器等が挙げられる。
【００１７】
一方、本実施の形態に係る回線終端装置１２は、ＡＴＭネットワーク１８にも接続されている。以上の構成により、各ユーザ機器１６は、接続された回線終端装置１２を介してＡＴＭによる通信が可能となる。
【００１８】
なお、図１では、１台の回線終端装置１２に４台のユーザ機器１６が接続されている場合について示しているが、これに限定されるものではない。１台の回線終端装置１２に接続されるユーザ機器１６の台数は、要求される通信速度等に応じて適宜設定すればよい。
【００１９】
また、図１では、１つのＡＴＭ終端カード１４に、１台のユーザ機器１６が接続されている場合について示しているが、これに限定されるものではない。例えば、１つのＡＴＭ終端カード１４に、複数の接続箇所（ポート）を設け、１つのＡＴＭ終端カード１４に、複数のユーザ機器１６が接続されてもよい。
【００２０】
次に、図２および図３を参照して、本実施の形態に係る回線終端装置１２の機能的な構成を説明する。
【００２１】
図２に示すように、本実施の形態に係る回線終端装置１２は、ＡＴＭポート２０Ａ〜２０Ｄ、多重部２８、故障通知セル検出部３０、第２生成部３２、接続テーブル３４、および出力部３６を備えている。なお、図２におけるＡＴＭポート２０Ａ〜２０Ｄの括弧内の数字は、当該数字が記載されているＡＴＭポートのポート番号を示している。また、ＡＴＭポート２０Ｂ〜２０Ｄの構成はＡＴＭポート２０Ａと同様であるため、図２では図示を省略している。また、以下では、ＡＴＭポート２０Ａ〜２０Ｄを区別して説明する必要がない場合は、符号末尾のアルファベットを省略する。
【００２２】
ＡＴＭポート２０Ａ〜２０Ｄは、ＡＴＭ終端カード１４Ａ〜１４Ｄに各々１対１で設けられ、対応するＡＴＭ終端カード１４から出力されたＡＴＭセル（以下、単に「セル」という。）が各々入力される。
【００２３】
本実施の形態に係るＡＴＭ終端カード１４は、接続されたユーザ機器１６からの入力信号が正常な状態の場合、ユーザ機器１６から入力されたセルを第１の通信速度（本実施の形態では、一例として２５．６Ｍｂｐｓ（Megabits per second））で出力する。一方、ＡＴＭ終端カード１４は、接続されたユーザ機器１６からの入力信号が断状態（以下、「ＬＯＳ」（Loss Of Signal）と言う。）となった場合、本発明の故障管理情報の一例であるＶＰ−ＡＩＳセル（本実施の形態では、エンド・エンドＦ４フローＯＡＭセル）を上記第１の通信速度より速い第２の通信速度（本実施の形態では、一例として１５５．５２Ｍｂｐｓ）で生成して出力する。
【００２４】
具体的には、本実施の形態に係るＡＴＭ終端カード１４は、ＬＯＳ時には、ＶＰ−ＡＩＳセルを、すべての宛先に対して、すなわち、ＶＰＩが０〜２５５のＶＰＣ（Virtual Path Connection）宛に各々生成して出力する。従って、この場合、ＡＴＭ終端カード１４は、２５６個のＶＰ−ＡＩＳセルを生成して出力する。
【００２５】
本実施の形態に係るＡＴＭ終端カード１４は、この２５６個のＶＰ−ＡＩＳセルを、毎秒１セットずつ生成して出力する。また、ＡＴＭ終端カード１４は、図４に示すように、セルを出力する通信速度を調整するために、空のセル（以下、「空セル」という。）も生成して出力する。図４は、ＡＴＭ終端カード１４によるセルの出力処理の説明に供するタイミングチャートであり、１秒間にＡＴＭ終端カード１４から出力されるセルを示している。図４の上側のセル列が正常時のセルを示し、図４の下側のセル列がＬＯＳ時のセルを示している。また、図４の点線のセルは空セルを示し、実線のセルはセル内に記載されたＶＰＩの値が宛先とされたセルを示している。
【００２６】
一例として図４に示すように、正常時は、ユーザ機器１６から２５．６ＭｂｐｓでＶＰＩが０（零）のＶＰＣ宛のセルが順次入力され、ＡＴＭ終端カード１４から２５．６Ｍｂｐｓで当該セルが出力される。一方、ＬＯＳ時は、前述したように、ＡＴＭ終端カード１４からＶＰＩが０〜２５５のＶＰＣ宛のＶＰ−ＡＩＳセルが１５５．５２Ｍｂｐｓで毎秒１セット出力される。
【００２７】
すなわち、正常時は、ＡＴＭ終端カード１４は、当該ＡＴＭ終端カード１４と回線終端装置１２（より具体的には、ＡＴＭポート２０）との間の通信速度である１５５．５２Ｍｂｐｓに通信速度を調整するため、図４に示す例では、ユーザ機器１６から入力された１セルに対して５セルの空セルを出力する。一方、ＬＯＳ時は、ＡＴＭ終端カード１４は、ＶＰＩが０〜２５５のＶＰＣ宛のＶＰ−ＡＩＳセルを順次出力した後、１秒間の残りの間は空セルを出力する。これにより、ユーザ機器１６から入力されたセルがＡＴＭ終端カード１４から２５．６Ｍｂｐｓで出力され、ＡＴＭ終端カード１４と回線終端装置１２との間の通信速度は１５５．５２Ｍｂｐｓとなる。なお、上記空セルのセルフォーマットは、特に限定されるものではなく、空セルとして予め定められたセルフォーマットを用いればよい。
【００２８】
一方、図２に示すように、本実施の形態に係るＡＴＭポート２０は、フィルタ部２２、第１生成部２４、およびセレクタ２６を備えている。
【００２９】
図３に示すように、本実施の形態に係るフィルタ部２２は、ＦＩＦＯ（First In First Out）部２２Ａ、ＡＩＳセル検出部２２Ｂ、ウィンドウ部２２Ｃ、判定部２２Ｄ、およびタイマ部２２Ｅを備えている。
【００３０】
ＡＴＭ終端カード１４から出力されたセルは、ＦＩＦＯ部２２ＡおよびＡＩＳセル検出部２２Ｂへ入力される。
【００３１】
本実施の形態に係るＦＩＦＯ部２２Ａは、入力されたセルを遅延させるためのＦＩＦＯメモリであり、本実施の形態では、一例として４セル分の容量、すなわち、５３バイト×４＝２１２バイト分の容量を有している。なお、本実施の形態では、１バイト＝８ビットとして説明する。
【００３２】
本実施の形態に係るＡＩＳセル検出部２２Ｂは、入力されたセルがＶＰ−ＡＩＳセルであることを検出する。
【００３３】
ここで、ＡＩＳセル検出部２２ＢによるＶＰ−ＡＩＳセルの検出方法について説明する。まず、図５に示すように、ＯＡＭセルは、ＩＴＵ−Ｔ勧告Ｉ．６１０でセルフォーマットが規定されている。なお、ＯＡＭセルについては、ＩＴＵ−Ｔ勧告Ｉ．６１０で規定されているので、ここでの説明は省略する。
【００３４】
ＶＰ−ＡＩＳセルは、図５に示すセルフォーマットのヘッダのＶＣＩ（Virtual Channel Identifier）フィールドの値（以下、「ＶＣＩ値」という。）が「４」で、かつＯＡＭセル種別フィールドの値（以下、「ＯＡＭセル種別値」という。）が故障管理を示す「０００１」で、さらに機能種別フィールドの値（以下、「機能種別値」という。）がＡＩＳを示す「００００」であるとＩＴＵ−Ｔ勧告Ｉ．６１０で規定されている。
【００３５】
従って、ＡＩＳセル検出部２２Ｂは、入力されたセルのヘッダのＶＣＩ値、ＯＡＭセル種別値、および機能種別値を参照することにより、当該セルがＶＰ−ＡＩＳセルであることを検出する。
【００３６】
そして、ＡＩＳセル検出部２２Ｂは、入力されたセルがＶＰ−ＡＩＳセルであると検出した場合、「１」を出力し、当該セルがＶＰ−ＡＩＳセル以外のセルであると検出した場合、「０」を出力する。
【００３７】
本実施の形態に係るウィンドウ部２２Ｃは、ＦＩＦＯ部２２Ａに格納されるセル数と同じビット数（本実施の形態では、一例として４ビット）のＦＩＦＯメモリであり、ＡＩＳセル検出部２２Ｂから出力された「０」または「１」が入力される。従って、例えば、ＦＩＦＯ部２２Ａに格納されている４セルがすべてＶＰ−ＡＩＳセルの場合は、ウィンドウ部２２Ｃの内容は、「１１１１」となる。
【００３８】
本実施の形態に係る判定部２２Ｄは、ＡＴＭ終端カード１４から所定期間内に所定数以上のＶＰ−ＡＩＳセルが入力された否かを判定することにより、ＬＯＳとなったか否かを判定する。
【００３９】
具体的には、本実施の形態に係る判定部２２Ｄは、ウィンドウ部２２Ｃに「１」が２つ以上あるか否かを判定することにより、直近の４セル内に、ＶＰ−ＡＩＳセルが２つ以上あるか否かを判定することによって、ＬＯＳとなったか否かを判定する。そして、判定部２２Ｄは、ＬＯＳとなったと判定した場合は、ＬＯＳ検出の有効を第１生成部２４およびセレクタ２６へ通知する。一方、判定部２２Ｄは、ＬＯＳとなっていないと判定した場合は、ＬＯＳ検出の無効を第１生成部２４およびセレクタ２６へ通知する。
【００４０】
前述したように、ＶＰ−ＡＩＳセルには、送信元を識別する情報が含まれていない。そして、ＡＴＭ終端カード１４は、正常時は、２５．６Ｍｂｐｓでユーザ機器１６から入力されたセル（ＶＰ−ＡＩＳセルも含む）を出力し、ＬＯＳ時は、１５５．５２ＭｂｐｓでＶＰ−ＡＩＳセルを生成して出力する。
【００４１】
そこで、本実施の形態のように、判定部２２Ｄは、直近の４セル内に、ＶＰ−ＡＩＳセルが２つ以上あるか否かを判定する。これにより、ＶＰ−ＡＩＳセルがユーザ機器１６からＡＴＭ終端カード１４を介して入力されたものであるか、ＬＯＳとなったことによりＡＴＭ終端カード１４によって生成されたものであるかを判定することができる。
【００４２】
なお、判定部２２Ｄによる判定対象のセル数、すなわちＦＩＦＯ部２２Ａおよびウィンドウ部２２Ｃのサイズ、および判定部２２Ｄによる判定に用いられる閾値は、上記の値に限定されるものではない。これらの値は、上記第１の通信速度と上記第２の通信速度との比等に応じて適宜設定すればよく、少なくとも判定部２２Ｄによる判定対象のセル数が複数であればよい。
【００４３】
さらに具体的には、本実施の形態に係る判定部２２Ｄは、内部回路を有しており、その状態が、図６に示す正常状態、故障状態、および回復保護状態の何れかの状態となる。なお、以下では、判定部２２Ｄの初期状態は、正常状態であるものとして説明する。
【００４４】
図６に示すように、判定部２２Ｄは、正常状態において、ウィンドウ部２２Ｃ内に「１」が１つ以下の場合、正常状態が継続する。判定部２２Ｄは、正常状態において、ウィンドウ部２２Ｃ内に「１」が２つ以上の場合、故障状態へ遷移する。判定部２２Ｄは、故障状態において、ウィンドウ部２２Ｃ内に「１」が２つ以上の場合、故障状態が継続する。判定部２２Ｄは、故障状態において、ウィンドウ部２２Ｃ内に「１」が１つ以下の場合、回復保護状態に遷移する。
【００４５】
判定部２２Ｄは、回復保護状態において、ウィンドウ部２２Ｃ内に「１」が２つ以上の場合、故障状態へ遷移する。判定部２２Ｄは、回復保護状態において、ウィンドウ部２２Ｃ内に「１」が１つ以下の場合、回復保護状態が継続する。判定部２２Ｄは、回復保護状態において、１．５秒のタイマが満了した場合、正常状態へ遷移する。
【００４６】
次に、このタイマについて説明する。本実施の形態に係るタイマ部２２Ｅは、初期値が０であるタイマを有しており、判定部２２Ｄによりタイマの有効が通知されると有効状態となる。タイマ部２２Ｅは、有効状態である間はタイマをカウントアップし、タイマの値が予め設定された設定値（本実施の形態では、１．５秒）に達した場合、判定部２２Ｄにタイマの満了を通知し、タイマを０に戻す。一方、タイマ部２２Ｅは、判定部２２Ｄによりタイマの無効が通知されると無効状態となる。タイマ部２２Ｅは、無効状態である間はタイマを０とし、タイマのカウントアップを行わない。
【００４７】
以上の判定部２２Ｄからタイマ部２２Ｅ、第１生成部２４、およびセレクタ２６への通知は、次に示す表１の通りとなる。
【００４８】
【表１】
0006323282.tif 000002
【００４９】
表１に示すように、判定部２２Ｄは、正常状態では、タイマ部２２Ｅへタイマの無効を通知し、第１生成部２４およびセレクタ２６へＬＯＳ検出の無効を通知する。一方、判定部２２Ｄは、故障状態では、タイマ部２２Ｅへタイマの無効を通知し、第１生成部２４およびセレクタ２６へＬＯＳ検出の有効を通知する。さらに、判定部２２Ｄは、回復保護状態では、タイマ部２２Ｅへタイマの有効を通知し、第１生成部２４およびセレクタ２６へＬＯＳ検出の有効を通知する。なお、これらの通知は、空セルも含む各セルを判定部２２Ｄが処理する毎に行われる。
【００５０】
以上の構成による判定部２２Ｄの状態遷移について詳細に説明する。正常時は、判定部２２Ｄは常に正常状態となる。
【００５１】
一方、ＬＯＳ時は、判定部２２Ｄは、前述したように、まず、ＡＴＭ終端カード１４から毎秒１セット入力されるＶＰＩが０〜２５５のＶＰＣ宛のＶＰ−ＡＩＳセルに対して前述した判定処理を行うため、故障状態へ遷移する。次に、判定部２２Ｄは、１秒間の残りの間は、空セルに対して判定処理を行うため、回復保護状態へ遷移し、タイマ部２２Ｅへタイマの有効を通知する。これにより、タイマ部２２Ｅによるタイマのカウントアップが開始される。
【００５２】
ＬＯＳが継続する場合は、約１秒（遅くとも１秒以上１．５秒未満）後に再度ＶＰＩが０〜２５５のＶＰＣ宛のＶＰ−ＡＩＳセルが入力されるため、判定部２２Ｄは、故障状態へ遷移し、タイマ部２２Ｅへタイマの無効を通知する。一方、ＬＯＳが回復した場合は、直近の４セル内にＶＰ−ＡＩＳセルが複数入力されなくなるため、回復保護状態が継続し、１．５秒経過後にタイマ部２２Ｅからタイマの満了が通知され、判定部２２Ｄは正常状態へ遷移する。
【００５３】
第１生成部２４は、判定部２２ＤによりＬＯＳとなったと判定された場合、ＬＯＳとなったユーザ機器１６の接続箇所を特定するポート番号に応じた値を含む故障通知セルを生成する。なお、上記ポート番号に応じた値が本発明の特定情報の一例であり、上記故障通知セルが本発明の故障通知情報の一例である。
【００５４】
図７を参照して故障通知セルについて説明する。図７に示すように、故障通知セルには、４ビットのＣＬＩＤ（Cell Identification）フィールド、２ビットのＰＯＲＴフィールド、および１ビットのＬＡ（Line Alarm）フィールドが含まれる。
【００５５】
ＣＬＩＤはセル種別を示し、本実施の形態では、ＣＬＩＤフィールドには、セルが故障通知セルであることを示す値として「１０００」が格納される。ＰＯＲＴは、ＬＯＳとなった接続箇所を示し、ＬＯＳとなったＡＴＭポート２０に応じた値が格納される。本実施の形態では、ＰＯＲＴフィールドには、ＡＴＭポート２０Ａに応じた値として「００」が、ＡＴＭポート２０Ｂに応じた値として「０１」が、ＡＴＭポート２０Ｃに応じた値として「１０」が、ＡＴＭポート２０Ｄに応じた値として「１１」が格納される。
【００５６】
ＬＡは、伝送路の故障が発生したか否か、すなわちＬＯＳとなったか否かを示すフラグ（以下、「伝送路故障フラグ」という。）を示し、本実施の形態では、ＬＡフィールドには、ＬＯＳ時には、「１」が格納され、正常時には、「０」が格納される。
【００５７】
なお、以上の故障通知セルのセルフォーマットおよび各フィールドに格納される値は、一例であり、これに限定されるものではない。故障通知セルのセルフォーマットおよび各フィールドに格納される値は、セルが故障通知セルであること、ＬＯＳとなった接続箇所、および伝送路の故障が発生したか否かを識別できるものであればよい。
【００５８】
具体的には、第１生成部２４は、内部回路を有し、その状態が、有効状態および無効状態の何れかの状態となる。すなわち、第１生成部２４は、判定部２２ＤからＬＯＳ検出の有効が通知されると有効状態となり、判定部２２ＤからＬＯＳ検出の無効が通知されると無効状態となる。
【００５９】
そして、第１生成部２４は、有効状態では、ＣＬＩＤフィールドの値（以下、「ＣＬＩＤ値」という。）を「１０００」、ＰＯＲＴフィールドの値（以下、「ＰＯＲＴ値」という。）を自身が設けられているＡＴＭポート２０に応じた値、ＬＡフィールドの値（以下、「ＬＡ値」という。）を「１」とした故障通知セルを１５５．５２Ｍｂｐｓで生成して出力する。また、第１生成部２４は、有効状態から無効状態に変化したタイミングでは、ＣＬＩＤ値を「１０００」、ＰＯＲＴ値を自身が設けられているＡＴＭポート２０に応じた値、ＬＡ値を「０」とした故障通知セルを１セルだけ生成して出力する。さらに、第１生成部２４は、無効状態が継続している間は、故障通知セルを生成しない。
【００６０】
図２および図３に示すように、本実施の形態に係るセレクタ２６は、ＦＩＦＯ部２２Ａから出力されたセルが入力される。また、セレクタ２６は、ＬＯＳとなった場合は第１生成部２４から出力された故障通知セルが入力される。さらに、セレクタ２６は、判定部２２Ｄから、ＬＯＳ検出の有効または無効が通知される。セレクタ２６も、第１生成部２４と同様に内部回路を有し、その状態が、有効状態および無効状態の何れかの状態となる。すなわち、セレクタ２６は、判定部２２ＤからＬＯＳ検出の有効が通知されると有効状態となり、判定部２２ＤからＬＯＳ検出の無効が通知されると無効状態となる。
【００６１】
そして、セレクタ２６は、有効状態では、第１生成部２４から入力された伝送路故障フラグ（ＬＡ値）を「１」とした故障通知セルを出力する。また、セレクタ２６は、有効状態から無効状態に変化したタイミングでは、第１生成部２４から入力された伝送路故障フラグを「０」とした故障通知セルを出力する。さらに、セレクタ２６は、無効状態が継続している間は、ＦＩＦＯ部２２Ａから入力されたセルを出力する。
【００６２】
図８を参照してＡＴＭポート２０の動作について説明する。なお、図８Ａおよび図８Ｂの上部にはウィンドウ部２２Ｃの内容を示し、図８Ａおよび図８Ｂの下部にはフィルタ部２２に入力されるセルおよびセレクタ２６から出力されるセルを示している。また、図８Ａの「ＶＰＩ＝０」のセルは、ユーザ機器１６からＡＴＭ終端カード１４を介して入力されたＶＰ−ＡＩＳセルを示している。また、図８Ａおよび図８Ｂの点線の矩形は空セルを示している。
【００６３】
図８Ａに示すように、正常時は、ユーザ機器１６からＡＴＭ終端カード１４に入力されたＶＰ−ＡＩＳセルが、ＡＴＭ終端カード１４から２５．６Ｍｂｐｓで出力されてフィルタ部２２に入力される。前述したように、本実施の形態では、ＡＴＭ終端カード１４とＡＴＭポート２０との間の通信速度が１５５．５２Ｍｂｐｓであるため、正常時は、各ＶＰ−ＡＩＳセルの間に空セルが挿入される。
【００６４】
図８Ａに示すように、正常時は、ウィンドウ部２２Ｃに「１」が複数格納されず、判定部２２Ｄは、正常状態が継続され、ＬＯＳ検出の無効を通知する。従って、セレクタ２６は、フィルタ部２２から入力されたＶＰ−ＡＩＳセルおよび空セルを出力する。
【００６５】
一方、図８Ｂに示すように、ＬＯＳ時は、ＡＴＭ終端カード１４からフィルタ部２２に、ＶＰＩが０〜２５５のＶＰＣ宛のＶＰ−ＡＩＳセルが１５５．５２Ｍｂｐｓで毎秒１セット入力される。
【００６６】
図８Ｂに示すように、ＬＯＳ時は、ウィンドウ部２２Ｃに「１」が複数格納され、判定部２２Ｄは、故障状態となり、ＬＯＳ検出の有効を通知する。従って、セレクタ２６は、第１生成部２４で生成された伝送路故障フラグが「１」とされた故障通知セルを出力する。
【００６７】
ＬＯＳが回復した場合、判定部２２Ｄは、まず回復保護状態へと遷移し、１．５秒後に正常状態へと遷移する。この際、判定部２２ＤからのＬＯＳ検出の通知が有効から無効に変化する。従って、セレクタ２６は、第１生成部２４で生成された伝送路故障フラグが「０」とされた故障通知セルを１セル出力する。
【００６８】
なお、前述したように、ＡＴＭ終端カード１４は、ＬＯＳ時には、２５６個のＶＰ−ＡＩＳセルを１５５．５２Ｍｂｐｓで順次生成して出力するため、各ＶＰ−ＡＩＳセルの間に空セルが挿入される可能性は低い。しかしながら、図８Ｂに示すように、各ＶＰ−ＡＩＳセルの間の何れかに空セルが挿入されてフィルタ部２２に入力された場合でも、判定部２２ＤによりＬＯＳとなったことが判定される。
【００６９】
図２に示すように、各ＡＴＭポート２０のセレクタ２６から出力されたセルは、多重部２８に入力される。
【００７０】
図９に示すように、多重部２８は、各ＡＴＭポート２０のセレクタ２６から入力されたセルを時分割多重により多重化して出力する。図９に示すように、多重部２８による多重化により、各ＡＴＭポート２０から出力されたセルは、それぞれ４セル毎に多重部２８から出力される。
【００７１】
図２に示すように、多重部２８から出力されたセルは、故障通知セル検出部３０および出力部３６に入力される。
【００７２】
本実施の形態に係る故障通知セル検出部３０は、入力されたセルのＣＬＩＤ値が「１０００」であるか否かを判定することにより、故障通知セルを検出する。故障通知セル検出部３０は、故障通知セルを検出した場合、さらに、ＬＡ値を参照し、ＬＡ値が「１」の場合は、伝送路の故障の有効を通知すると共に、ＰＯＲＴ値を通知する。また、故障通知セル検出部３０は、故障通知セルを検出した場合で、ＬＡ値が「０」の場合、伝送路の故障の無効を通知すると共に、ＰＯＲＴ値を通知する。さらに、故障通知セル検出部３０は、故障通知セルを検出しなかった場合、伝送路の故障の無効を通知する。これらの通知は、第２生成部３２および出力部３６に入力される。
【００７３】
本実施の形態に係る第２生成部３２は、第１生成部２４により故障通知セルが生成された場合、故障通知セルに含まれるＰＯＲＴ値に基づいて、当該ＰＯＲＴ値に対応する接続箇所がＬＯＳとなったことにより通信に影響がある宛先に対するＶＰ−ＡＩＳセルおよびＶＣ−ＡＩＳセル（本実施の形態では、エンド・エンドＦ５フローＯＡＭセル）を生成する。
【００７４】
具体的には、第２生成部３２も、第１生成部２４と同様に内部回路を有し、その状態が、有効状態および無効状態の何れかの状態となる。すなわち、第２生成部３２は、故障通知セル検出部３０から伝送路の故障の有効が通知されると有効状態となり、故障通知セル検出部３０から伝送路の故障の無効が通知されると無効状態となる。
【００７５】
そして、第２生成部３２は、有効状態では、接続テーブル３４を参照し、故障通知セル検出部３０から通知されたＰＯＲＴ値に基づいて、通信に影響がある宛先のＶＰＩ値およびＶＣＩ値を取得する。
【００７６】
図１０を参照して接続テーブル３４について説明する。本実施の形態に係る接続テーブル３４は、各ＡＴＭポート２０に対応する各ＡＴＭ終端カード１４がＬＯＳとなった場合に影響がある宛先のＶＰＩ値およびＶＣＩ値が予め登録されているテーブルである。なお、図１０におけるポート番号列は、各ＡＴＭポート２０に対応するＰＯＲＴ値を示す。また、図１０におけるＶＰＩ列およびＶＣＩ列は、各々、ポート番号列の値に対応する各ＡＴＭ終端カード１４がＬＯＳとなった場合に、通信に影響がある宛先のＶＰＩ値およびＶＣＩ値を示す。
【００７７】
なお、図１０に示す接続テーブル３４の構成は、一例であり、これに限定されるものではなく、ＬＯＳとなった接続箇所により通信に影響がある宛先を特定できるものであればよい。
【００７８】
そして、第２生成部３２は、有効状態では、取得したＶＰＩ値のＶＰＣに対するＶＰ−ＡＩＳセル、および取得したＶＣＩ値のＶＣＣ（Virtual Channel Connection）に対するＶＣ−ＡＩＳセルを生成して出力する。本実施の形態では、第２生成部３２は、有効状態では、このＶＰ−ＡＩＳセルおよびＶＣ−ＡＩＳセルを、各々毎秒１セル生成して出力する。第２生成部３２により出力されたセルは、出力部３６に入力される。また、第２生成部３２は、無効状態では、ＶＰ−ＡＩＳセルおよびＶＣ−ＡＩＳセルを生成しない。
【００７９】
本実施の形態に係る出力部３６は、伝送路の故障の有効または無効の通知に応じて出力するセルを選択する。具体的には、出力部３６は、ＰＯＲＴ値毎に内部回路を有し、その状態が、ＰＯＲＴ値毎に有効状態および無効状態の何れかの状態となる。すなわち、出力部３６は、故障通知セル検出部３０から伝送路の故障の有効およびＰＯＲＴ値が通知されると、当該ＰＯＲＴ値が有効状態となり、故障通知セル検出部３０から伝送路の故障の無効およびＰＯＲＴ値が通知されると当該ＰＯＲＴ値が無効状態となる。
【００８０】
そして、出力部３６は、有効状態では、多重部２８から入力されたセルにおける、有効状態となっているＰＯＲＴ値に対応するセルを破棄する。さらに、出力部３６は、有効状態では、破棄したセルの代わりに第２生成部３２から入力されたＶＰ−ＡＩＳセルおよびＶＣ−ＡＩＳセルを多重化して、ＡＴＭネットワーク１８に出力する。また、出力部３６は、無効状態では、多重部２８から入力されたセルをＡＴＭネットワーク１８に出力する。
【００８１】
なお、前述したように、第２生成部３２は、有効状態では、毎秒１セルずつＶＰ−ＡＩＳセルおよびＶＣ−ＡＩＳセルを出力する。そこで、出力部３６は、有効状態において、第２生成部３２によりＶＰ−ＡＩＳセルおよびＶＣ−ＡＩＳセルが出力されていないタイミングでは、多重部２８から入力されたセルを出力してもよいし、当該セルを破棄して代わりに空セルを多重化してもよい。
【００８２】
ところで、以上のように構成された回線終端装置１２の各構成要素による処理は、プログラムを実行することにより、コンピュータを利用してソフトウェア構成により実現してもよい。但し、ソフトウェア構成による実現に限られるものではなく、ハードウェア構成や、ハードウェア構成とソフトウェア構成の組み合わせによって実現してもよいことは言うまでもない。なお、上記各構成要素をハードウェア構成により実現する場合の形態例としては、当該各構成要素と同様の処理を実行する機能素子を作成して適用する形態が例示される。
【００８３】
次に、図１１を参照して、本実施の形態に係る回線終端装置１２の作用を説明する。なお、図１１は、ＡＴＭ終端カード１４により出力されたセルがフィルタ部２２に入力されてから、出力部３６によりＡＴＭネットワーク１８にセルが出力されるまでのセル出力処理の流れを示すフローチャートである。
【００８４】
図１１のステップＳ１００では、ＡＩＳセル検出部２２Ｂは、前述したように、入力されたセルがＶＰ−ＡＩＳセルであるか否かを判定する。ＡＩＳセル検出部２２Ｂは、この判定が肯定判定となった場合はステップＳ１０２の処理に移行する一方、否定判定となった場合はステップＳ１０４の処理に移行する。
【００８５】
ステップＳ１０２では、ＡＩＳセル検出部２２Ｂは、ウィンドウ部２２Ｃに「１」を出力する。一方、ステップＳ１０４では、ＡＩＳセル検出部２２Ｂは、ウィンドウ部２２Ｃに「０」を出力する。
【００８６】
ステップＳ１０６では、判定部２２Ｄは、ウィンドウ部２２Ｃに「１」が２つ以上あるか否かを判定することにより、ＬＯＳとなったか否かを判定する。この判定およびタイマ部２２Ｅからのタイマの満了の通知の有無により、図６に示すように判定部２２Ｄの状態が正常状態、回復保護状態、および故障状態の何れかの状態に遷移する。そして、判定部２２Ｄは、表１に示すように、その状態に応じて、タイマ部２２Ｅへタイマの有効または無効を通知し、かつ第１生成部２４およびセレクタ２６へＬＯＳ検出の有効または無効を通知する。
【００８７】
次のステップＳ１０８では、第１生成部２４は、判定部２２ＤからのＬＯＳ検出の有効または無効の通知に応じて、有効状態または無効状態となる。前述したように、第１生成部２４は、有効状態では、伝送路故障フラグを「１」とした故障通知セルを生成して出力する。また、第１生成部２４は、有効状態から無効状態に変化したタイミングでは、伝送路故障フラグを「０」とした故障通知セルを１セルだけ生成して出力する。さらに、第１生成部２４は、無効状態が継続している間は、故障通知セルを生成しない。
【００８８】
次のステップＳ１１０では、セレクタ２６は、判定部２２ＤからのＬＯＳ検出の有効または無効の通知に応じて、有効状態または無効状態となる。前述したように、セレクタ２６は、有効状態では、第１生成部２４から入力された伝送路故障フラグを「１」とした故障通知セルを出力する。また、セレクタ２６は、有効状態から無効状態に変化したタイミングでは、第１生成部２４から入力された伝送路故障フラグを「０」とした故障通知セルを出力する。さらに、セレクタ２６は、無効状態が継続している間は、ＦＩＦＯ部２２Ａから入力されたセルを出力する。以上のステップＳ１００〜ステップＳ１１０の処理は、ＡＴＭポート２０毎に並行して実行される。
【００８９】
次のステップＳ１１２では、多重部２８は、各ＡＴＭポート２０のセレクタ２６から入力されたセルを時分割多重により多重化して出力する。
【００９０】
次のステップＳ１１４では、故障通知セル検出部３０は、前述したように、多重部２８から入力されたセルが故障通知セルであるか否かを判定する。故障通知セル検出部３０は、この判定が肯定判定となった場合はステップＳ１１６の処理に移行する。ステップＳ１１６では、故障通知セル検出部３０は、故障通知セルのＬＡ値が「１」であるか否かを判定する。故障通知セル検出部３０は、この判定が肯定判定となった場合はステップＳ１１８の処理に移行する一方、否定判定となった場合はステップＳ１２０の処理に移行する。
【００９１】
ステップＳ１１８では、故障通知セル検出部３０は、伝送路の故障の有効、およびＰＯＲＴ値を通知する。一方、ステップＳ１２０では、故障通知セル検出部３０は、伝送路の故障の無効、およびＰＯＲＴ値を通知する。一方、上記ステップＳ１１４の判定が、否定判定となった場合は、故障通知セル検出部３０は、ステップＳ１２２の処理に移行する。ステップＳ１２２では、故障通知セル検出部３０は、伝送路の故障の無効を通知する。
【００９２】
ステップＳ１２４では、第２生成部３２は、故障通知セル検出部３０からの伝送路の故障の有効または無効の通知に応じて、有効状態または無効状態となる。前述したように、第２生成部３２は、有効状態では、接続テーブル３４からＰＯＲＴ値に対応するＶＰＩ値およびＶＣＩ値を取得する。そして、第２生成部３２は、取得したＶＰＩ値のＶＰＣに対するＶＰ−ＡＩＳセル、および取得したＶＣＩ値のＶＣＣに対するＶＣ−ＡＩＳセルを各々毎秒１セル生成して出力する。また、第２生成部３２は、無効状態では、ＶＰ−ＡＩＳセルおよびＶＣ−ＡＩＳセルを生成しない。
【００９３】
次のステップＳ１２６では、出力部３６は、故障通知セル検出部３０からの伝送路の故障の有効または無効の通知、およびＰＯＲＴ値の通知に応じて、ＰＯＲＴ値毎に有効状態または無効状態となる。前述したように、出力部３６は、有効状態では、多重部２８から出力されたセルにおける、有効状態となっているＰＯＲＴ値に対応するセルの代わりに第２生成部３２から入力されたＶＰ−ＡＩＳセルおよびＶＣ−ＡＩＳセルを多重化して出力する。また、出力部３６は、無効状態では、多重部２８から出力されたセルにおける、無効状態となっているＰＯＲＴ値に対応するセルを出力する。このステップＳ１２６の処理により、出力部３６からセルがＡＴＭネットワーク１８に出力され、本セル出力処理が終了される。
【００９４】
以上説明したように、本実施の形態では、判定部２２Ｄが、ＡＴＭ終端カード１４から直近の４セル内に２つ以上のＶＰ−ＡＩＳセルが入力されたか否かを判定することにより、ＬＯＳとなったか否かを判定する。これにより、ユーザ機器１６からの入力信号が断状態となったことを精度良く検出することができる。
【００９５】
また、本実施の形態では、第１生成部２４が、判定部２２ＤによりＬＯＳとなったと判定された場合、ＬＯＳとなったユーザ機器１６の接続箇所を特定するＰＯＲＴ値を含む故障通知セルを生成している。これにより、入力信号が断状態となったユーザ機器１６の接続箇所を特定することができる。
【００９６】
さらに、本実施の形態では、第２生成部３２が、第１生成部２４により故障通知セルが生成された場合、故障通知セルに含まれるＰＯＲＴ値に基づいて、接続箇所がＬＯＳとなったことにより通信に影響がある宛先に対するＶＰ−ＡＩＳセルおよびＶＣ−ＡＩＳセルを生成する。そして、本実施の形態では、出力部３６が、第２生成部３２により生成されたＶＰ−ＡＩＳセルおよびＶＣ−ＡＩＳセルを出力する。これにより、ユーザ機器１６からの入力信号が断状態となったことを、効率的に報知することができる。また、ＡＴＭ終端カード１４が、ＬＯＳ時にＶＣ−ＡＩＳセルを生成する機能を有していない場合でも、ＶＣＣに対してユーザ機器１６からの入力信号が断状態となったことを報知することができる。
【００９７】
以上、実施の形態を説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【００９８】
また、上記実施の形態は、クレーム（請求項）にかかる発明を限定するものではなく、また実施の形態の中で説明されている特徴の組み合わせの全てが発明の解決手段に必須であるとは限らない。前述した実施の形態には種々の段階の発明が含まれており、開示される複数の構成要件の組み合わせにより種々の発明が抽出される。実施の形態に示される全構成要件から幾つかの構成要件が削除されても、効果が得られる限りにおいて、この幾つかの構成要件が削除された構成が発明として抽出され得る。
【００９９】
例えば、上記実施の形態では、ＡＩＳセル検出部２２ＢによりＶＰ−ＡＩＳセルを検出する場合について説明したが、本発明はこれに限定されるものではない。
【０１００】
前述したように、ＡＴＭ終端カード１４は、正常時は、ユーザ機器から入力されたセルを上記第１の通信速度（２５．６Ｍｂｐｓ）で出力し、ＡＴＭ終端カード１４と回線終端装置１２との間の通信速度が上記第２の通信速度（１５５．５２Ｍｂｐｓ）となるように、空セルを出力する。従って、直近の４セル内の空セルの数をカウントすることにより、ユーザ機器１６からＡＴＭ終端カード１４を介してＡＴＭポート２０に入力されたセル、およびＡＴＭ終端カード１４により生成されてＡＴＭポート２０に入力されたＶＰ−ＡＩＳセルの通信速度が上記第１の通信速度より速い所定の速度以上であるか否かを判定することができる。例えば、直近の４セルのうち空セルが２つ以下であれば、当該通信速度が上記第１の通信速度より速い速度であると判定することができる。
【０１０１】
そこで、例えば、ＡＩＳセル検出部２２Ｂは、入力されたセルが空セルか否かを検出し、当該セルが空セルである場合は、「１」をウィンドウ部２２Ｃに出力し、当該セルが空セルでない場合は、「０」をウィンドウ部２２Ｃに出力する。そして、判定部２２Ｄは、ウィンドウ部２２Ｃの「１」の数が所定数（一例として２つ）以下であるか否かを判定することにより、ＬＯＳとなったか否かを判定する形態としてもよい。これにより、フィルタ部２２は、ＡＴＭ終端カード１４から入力されたセルがＶＰ−ＡＩＳセルであるか否かを検出することなく、ＬＯＳとなったか否かを判定することができる。
【０１０２】
また、上記実施の形態では、ＬＯＳ時に、ＡＴＭ終端カード１４が、ＶＰＩが０〜２５５のＶＰＣ宛のＶＰ−ＡＩＳセルを毎秒１セット生成して出力する場合について説明したが、本発明はこれに限定されるものではない。例えば、ＬＯＳ時に、ＡＴＭ終端カード１４が、当該ＶＰ−ＡＩＳセルを毎秒複数セット生成して出力する形態としてもよい。
【０１０３】
また、上記実施の形態では、第２生成部３２が、有効状態では、ＶＰ−ＡＩＳセルおよびＶＣ−ＡＩＳセルを各々毎秒１セル生成して出力する場合について説明したが、本発明はこれに限定されるものではない。例えば、第２生成部３２が、有効状態では、ＶＰ−ＡＩＳセルおよびＶＣ−ＡＩＳセルを各々毎秒複数セル生成して出力する形態としてもよい。
【０１０４】
また、上記実施の形態では、ＬＯＳ時に、最終的に出力部３６からＶＰ−ＡＩＳセルおよびＶＣ−ＡＩＳセルを出力する場合について説明したが、本発明はこれに限定されるものではない。例えば、回線終端装置１２にＬＥＤランプや液晶ディスプレイ等の表示部を設け、当該表示部にＬＯＳを検出したことを示す情報を出力する形態としてもよい。さらに、この場合、ＬＯＳが発生したポート番号を示す情報も上記表示部に出力する形態としてもよい。
【０１０５】
また、上記実施の形態では、ＬＯＳ時に、出力部３６が出力するセルとして、ＶＰ−ＡＩＳセルおよびＶＣ−ＡＩＳセルの双方を適用する場合について説明したが、本発明はこれに限定されるものではない。出力部３６が出力するセルとして、ＶＰ−ＡＩＳセルまたはＶＣ−ＡＩＳセルを適用する形態としてもよい。
【０１０６】
また、上記実施の形態では、判定部２２Ｄがウィンドウ部２２Ｃを参照することにより、ＬＯＳとなったか否かを判定する場合について説明したが、本発明はこれに限定されるものではない。例えば、判定部２２Ｄは、ＦＩＦＯ部２２Ａの各セルに、ＡＩＳセル検出部２２Ｂと同様のＶＰ−ＡＩＳセルを検出する処理を行う。そして、判定部２２Ｄは、ＶＰ−ＡＩＳセルの数が所定数（一例として２つ）以上であるか否かによって、ＬＯＳとなったか否かを判定する形態としてもよい。この場合、判定部２２Ｄが、セルが入力される毎にＦＩＦＯ部２２Ａの各セルに対して、ＶＰ−ＡＩＳセルであるか否かを検出する処理を行うことになるが、フィルタ部２２にＡＩＳセル検出部２２Ｂおよびウィンドウ部２２Ｃを設けなくてもよいこととなる。
【０１０７】
また、上記実施の形態では、回線終端装置１２が接続するバックボーンのネットワークとして、ＡＴＭネットワーク１８を適用した場合について説明したが、本発明はこれに限定されるものではない。例えば、当該バックボーンのネットワークとして、イーサネット（登録商標）等の別の通信方式のネットワークを適用する形態としてもよい。この場合、回線終端装置１２に、ＡＴＭと当該ネットワークの通信方式とを相互に変換する変換部を設ける形態が例示される。
【０１０８】
また、上記実施の形態では、ＡＴＭ終端カード１４とユーザ機器１６との間の通信方式としてＡＴＭを適用した場合について説明したが、本発明はこれに限定されるものではない。例えば、当該通信方式として、ユーザ機器からの入力信号が正常な状態の場合、第１の通信速度でユーザ機器から入力されたセルを出力し、ユーザ機器からの入力信号が断状態となった場合、故障管理情報を上記第１の通信速度より速い第２の通信速度で生成して出力する接続装置により通信可能な他の通信方式を適用する形態としてもよい。
【０１０９】
その他、上記実施の形態で説明した回線終端装置の構成（図１〜図３参照。）は一例であり、本発明の主旨を逸脱しない範囲内において不要な部分を削除したり、新たな部分を追加したりしてもよいことは言うまでもない。
【０１１０】
また、上記実施の形態で説明したセル出力処理の流れ（図１１参照。）も一例であり、本発明の主旨を逸脱しない範囲内において不要なステップを削除したり、新たなステップを追加したり、処理順序を入れ替えたりしてもよいことは言うまでもない。
【符号の説明】
【０１１１】
１０    通信システム
１２    回線終端装置
１４    ＡＴＭ終端カード
１６    ユーザ機器
２２Ｄ  判定部
２４    第１生成部
３２    第２生成部
３６    出力部
【図１】
0006323282.tif 000003
【図２】
0006323282.tif 000004
【図３】
0006323282.tif 000005
【図４】
0006323282.tif 000006
【図５】
0006323282.tif 000007
【図６】
0006323282.tif 000008
【図７】
0006323282.tif 000009
【図８Ａ】
0006323282.tif 000010
【図８Ｂ】
0006323282.tif 000011
【図９】
0006323282.tif 000012
【図１０】
0006323282.tif 000013
【図１１】
0006323282.tif 000014